(57)【要約】獲得されたデータは記憶素子に記憶される。獲得されたデータは少なくとも１つの観察された現象の記録を示す。例えば、獲得されたデータはスチルイメージまたはビデオ系列を表す。前記獲得されたデータは所定の関係が存在するという決定に応答して記憶素子から読み出されてワイヤレスデータリンクを介して送信される。
2004509524.tif 000002
【特許請求の範囲】
【請求項１】
装置であって、
獲得されたデータを受信するように構成されかつ配置されたコントロールロジックブロックと、
前記獲得されたデータを記憶するように構成されかつ配置された記憶素子と、
前記獲得されたデータをワイヤレスデータリンクを介して送信するように構成されかつ配置された送信器と、
を具備し、
前記送信器はさらに、記憶しきい値と前記記憶素子に記憶された獲得されたデータの量に少なくとも部分的に関連する値との間に所定の関係が存在するという決定に少なくとも応答して、前記ワイヤレスデータリンクを介して前記獲得されたデータの送信を開始するように構成されかつ配置された装置。
【請求項２】
装置であって、
獲得されたデータを記憶するように構成されかつ配置されたコントロールロジックブロックと、
前記獲得されたデータを記憶するように構成されかつ配置された記憶素子と、
前記獲得されたデータをワイヤレスデータリンクを介して送信するように構成されかつ配置された送信器と、
を具備し、
前記送信器はさらに、ワイヤレスデータリンクを介して前記獲得されたデータの送信を、
記憶しきい値と前記記憶素子に記憶された獲得されたデータの量に少なくとも部分的に関連する値との間に所定の関係が存在するという決定、
前記装置が所定の時間間隔の間アイドル状態にあるという決定、
現在時間と少なくとも１つのスケジュールされた時間との間に所定の関係が存在するという決定、
品質しきい値と、前記ワイヤレスデータリンクの少なくとも品質に関連する値との間に所定の関係が存在するという決定、の少なくとも１つに応答して開始するように構成されかつ配置されている装置。
【請求項３】
前記記憶素子は不揮発性のランダムアクセスメモリ装置である請求項２記載の装置。
【請求項４】
前記コントロールロジックブロックは少なくとも部分的には円形キューとして前記記憶素子をアドレスするように構成されかつ配置された請求項２記載の装置。
【請求項５】
前記記憶素子はスマートカード上に配置されている請求項２記載の装置。
【請求項６】
前記記憶素子はさらに、前記獲得されたデータをオペレーティングシステムによって読み取り可能なディレクトリ構造におけるファイルとして記憶するように構成されかつ配置された請求項２記載の装置。
【請求項７】
前記装置はさらに、コントロール情報を前記コントロールロジックブロックに提供するように構成されかつ配置されたユーザインタフェースを具備する請求項２記載の装置。
【請求項８】
前記装置はさらに、少なくとも１つの観察された現象を表す獲得されたデータ信号を生成するように構成されかつ配置されたセンサを具備し、前記獲得されたデータは前記獲得されたデータ信号に少なくとも部分的に基づいている請求項２記載の装置。
【請求項９】
前記センサはイメージセンサを具備し、前記イメージセンサは電荷結合デバイス及び相補型金属酸化物の半導体センサの少なくとも１つを備える請求項８記載の装置。
【請求項１０】
前記装置はさらに、前記獲得されたデータ信号を受信して前記獲得されたデータを生成するように構成されかつ配置された信号プロセッサを具備する請求項２記載の装置。
【請求項１１】
前記ワイヤレスデータリンクは無線周波数キャリア及び光ビームの少なくとも１つによって少なくとも部分的に搬送される請求項２記載の装置。
【請求項１２】
前記ワイヤレスデータリンクは少なくとも１つのセルラ電話チャネルの少なくとも一部を備える請求項２記載の装置。
【請求項１３】
前記獲得されたデータは一連のビデオイメージを含み、前記ワイヤレスデータリンクが確立される前に複数のビデオイメージの記憶が完了する請求項２記載の装置。
【請求項１４】
前記送信器はさらに、少なくとも１つのファイル転送プロトコルを使用して前記ワイヤレスデータリンクを介して前記獲得されたデータを転送するように構成されかつ配置されている請求項２記載の装置。
【請求項１５】
前記送信器はさらに、少なくとも１つの信頼性あるデータリンクプロトコルを使用して前記ワイヤレスデータリンクを介して前記獲得されたデータを転送するように構成されかつ配置されている請求項２記載の装置。
【請求項１６】
システムであって装置を具備し、前記装置は、
獲得されたデータを受信するように構成されかつ配置されたコントロールロジックブロックと、
前記獲得されたデータを記憶するように構成されかつ配置された記憶素子と、
前記獲得されたデータを受信して当該獲得されたデータをワイヤレスデータリンクを介して送信するように構成されかつ配置された送信装置と、
を具備し、
前記コントロールロジックブロックはさらに、前記記憶素子から前記獲得されたデータを読み出して、少なくとも部分的に前記獲得されたデータに基づく信号を、
記憶しきい値と、前記記憶素子に記憶された獲得されたデータの量に少なくとも部分的に関連する値との間に所定の関係が存在するという決定、
前記装置が所定の時間間隔の間アイドル状態にあるという決定、
現在時間と少なくとも１つのスケジュールされた時間との間に所定の関係が存在するという決定、
品質しきい値と、前記ワイヤレスデータリンクの少なくとも品質に関連する値との間に所定の関係が存在するという決定、の少なくとも１つに応答して前記送信装置に提供するシステム。
【請求項１７】
前記送信装置はセルラ電話を含む請求項１６記載のシステム。
【請求項１８】
前記送信装置はワイヤレスモデムを含む請求項１６記載のシステム。
【請求項１９】
システムであって装置を具備し、前記装置は、
獲得されたデータを受信するように構成されかつ配置されたコントロールロジックブロックと、
前記獲得されたデータを記憶するように構成されかつ配置された記憶素子と、
ワイヤレスデータリンクを介して前記獲得されたデータを送信するように構成されかつ配置された送信器と、
記憶装置と、
を具備し、前記記憶装置は、前記ワイヤレスデータリンクを介した送信の後に前記獲得されたデータを受信するように構成されかつ配置され、
前記送信器はさらに、前記ワイヤレスデータリンクを介した前記獲得されたデータリンクの送信を、
記憶しきい値と、前記記憶素子に記憶された獲得されたデータの量に少なくとも部分的に関連する値との間に所定の関係が存在するという決定、
前記装置が所定の時間間隔の間アイドル状態にあるという決定、
現在時間と少なくとも１つのスケジュールされた時間との間に所定の関係が存在するという決定、
品質しきい値と、前記ワイヤレスデータリンクの少なくとも品質に関連する値との間に所定の関係が存在するという決定、
の少なくとも１つに応答して開始するように構成されかつ配置されたシステム。
【請求項２０】
前記ワイヤレスデータリンクはセルラ電話チャネルを含む請求項１９記載のシステム。
【請求項２１】
方法であって、
獲得されたデータを受信し、
前記獲得されたデータを記憶素子に記憶し、
前記獲得されたデータをワイヤレスデータリンクを介して送信することを具備し、
前記獲得されたデータをワイヤレスデータリンクを介して送信することは、記憶しきい値と、前記記憶素子に記憶された獲得されたデータの量に少なくとも部分的に関連する値との間に所定の関係が存在するという決定に少なくとも応答して開始される方法。
【発明の詳細な説明】
【０００１】
発明の背景
１．発明の分野
この発明は概して、データ転送の分野に関連する。より詳細には、本発明は獲得されたデータを遠隔装置からワイヤレスデータリンクを介して転送することに関する。
【０００２】
２．関連技術の説明
データ獲得のための装置はカメラ、オーディオレコーダ、データレコーダ、そしてビデオカメラを含む。そのような装置は、獲得されたデータを保持するために、フィルム、紙、あるいはテープなどのアナログ記憶媒体を使用するのが一般的である。獲得されたデータは静止または動画像、記録音声、あるいは地震活動や気象条件などの他の観測事象の記録などについての情報を表すものである。
【０００３】
そのような装置の使用において生ずる１つの問題点は、記憶媒体の容量が限られていることである。したがって、ユーザが旅行、休暇、パーティ、卒業などの思い出を記録しようとする場合には、（例えばスチルカメラの場合ならば）複数の感光性フィルム、（例えばビデオカメラの場合ならば）複数の磁気テープを入手して持ち運ぶ必要がある。さもないと、ユーザは記憶容量がなくなってしまう危険性に遭遇する。多くの場合、特定の事象を記録するのにどれぐらいの記憶容量が必要になるのかは事前に正確に知ることができない。さらに、獲得されたデータを含む媒体（例えばフィルムまたはテープ）が新たな媒体と交換するためにいったん装置から取り外されたならば、媒体（そしてそれにより保持されるデータ）は回収不能に失われるかあるいは損なわれるであろう。
【０００４】
多くの場合において、獲得されたデータを保持するためにデジタルメディアを使用するデータ獲得装置が現在利用可能である。例えば、図１はデジタルカメラのブロック図である。イメージセンサは例えば電荷結合デバイス（ＣＣＤ）あるいは相補型金属酸化物の半導体（ＣＭＯＳ）センサである。イメージセンサは（例えば自動露出制御、アンチブルーミング制御、ブラックおよびホワイトレベルのバランスなどの）信号調整のためのサポート回路を含む。信号は、ＪＰＥＧ（ジョイントフォトグラフィックエクスパーツグループ、ＩＳＯ／ＩＥＣ標準ＩＳ１０９１８−１，−２，−３、ＩＴＵ−Ｔ　Ｔ．８１，８３，８４）などの圧縮方法を適用することを含む符号化用プロセッサに転送される。符号化の前に行なわれるイメージ信号のデジタル化はセンサ、プロセッサ、あるいはそれらの間に置かれるデジタル化回路によって実行される。
【０００５】
これらの処理タスクに加えて、プロセッサはイメージ信号を記憶素子に記憶することに関連する記憶管理タスクを実行する。低容量から中間容量のアプリケーション（例えばコンシューマアプリケーションのためのスチル写真）の場合、記憶素子は、メモリスティック（ソニー社、東京、日本）によるフラッシュＲＡＭデバイス、（例えばスマートメディアエレクトリカル、フィズィカルフォーマット及びロジカルフォーマット仕様（１９９９年５月１９日、ＳＳＦＤＣフォーラム、日本による出版）のウェブオンラインバージョンに規定されているような）スマートメディア、あるいはコンパクトフラッシュ（ＣＦ＋及びコンパクトフラッシュ仕様、改訂１．４、コンパクトフラッシュ協会、パルアルト、カルフォルニア州）仕様である。（プロフェッショナルアプリケーションのためのスチル写真などの）高い容量のアプリケーションの場合には、（ＩＢＭコーポレーション、ホワイトプレインズ、ニューヨーク州、により開発された）小型のウインチェスタハードドライブが代わりに使用される。
【０００６】
データポートはＲＳ−２３２またはユニバーサルシリアルバス（ＵＳＢ）プロトコルに準拠したシリアルリンクをサポートする。このポートは、記憶部から観察、記憶、複写などのために外部のパーソナルコンピュータへのデータを運ぶ。以下に述べるように、データポートは、圧縮比などのカメラパラメータを変更したり記憶素子を消去するために、外部のパーソナルコンピュータ上で実行中のアプリケーションから制御情報を受信する。
【０００７】
カメラのユーザは、プロセッサに制御情報を提供するユーザインタフェースを介してカメラと交信する。例えば、ユーザインタフェースは概してイメージセンサによって受信された情報を獲得するためのシャッタレリーズを含む。ある種のカメラにおいて、ユーザはカメラの動作を変更するためにセンサあるいは処理パラメータを入力する。例えば、ユーザは（イメージ品質を犠牲にしてイメージ記憶容量を最大化するために、あるいはイメージ記憶容量を犠牲にしてイメージ品質を最大化するために）圧縮比を変更したり、（カメラがイメージビューワを含むならば）獲得されたイメージを検査したり、写真フラッシュ動作や他の露出値を調整する。多くの場合、これらのパラメータは、ユーザインタフェースが概してパーソナルコンピュータ上で動作し、データポートを介してカメラと連絡するソフトウェアアプリケーションを含む。
【０００８】
アナログデータ獲得装置がアナログ記憶媒体の容量によって制限されるように、デジタルデータ獲得装置もまた記憶素子の容量によって制限される。既存の媒体がフルになったならば、余分のメディアが入手可能であるかあるいは適切に構成されたパーソナルコンピュータが記憶されたデータをオフロードするために利用可能でないならば、ユーザは既存のデータに上書きするかあるいはデータがオフロード可能になるまで装置の使用を中止しなければならない。たとえメディアあるいはそのようなコンピュータが利用可能であっても、ユーザは、媒体を交換したりデータをダウンロードするといっためんどうなタスクが完了するまでデータの記録を中止しなければならない。アナログ記憶媒体と同様に、いったんデジタル記憶素子がカメラから取り外されたならば、媒体及びそれが保持するデータは失われてしまうかあるいは損なわれてしまう。
【０００９】
要約
本発明の一実施形態による装置において、コントロールロジックは獲得されたデータを受信するように構成され配置される。獲得されたデータは記録することが望まれる任意のストリームのデジタルデータを実質的に含む。記憶素子は獲得されたデータを記憶するように構成かつ配置される。送信器はワイヤレスデータリンクを介して獲得されたデータを送信するように構成かつ位置される。送信器はさらに、記憶しきい値と、記憶素子に記憶されている獲得されたデータの量に少なくとも部分的に関連する値との間に所定の関係（例えばより小さい、等しい、及び／またはより大きい）が存在するという決定に少なくとも応答してそのような送信を開始するように構成されかつ配置される。
【００１０】
詳細な説明
図２に示すように、本発明の一実施形態による装置１００は、獲得されたデータを受信するコントロールロジック１１０を含む。コントロールロジックブロック１１０は、１つまたはそれ以上のマイクロプロセッサと、マイクロコントローラと、特定用途向け集積回路（ＡＳＩＣ）などのロジック要素の他のアレイ及び／またはそのようなアレイまたはアレイ（複数）上で実行する１つまたはそれ以上のプロセッサを含む。獲得されたデータがイメージセンサ及び上記したようなイメージプロセッサから発生するアプリケーションにおいては、コントロールロジックブロック１１０及びイメージプロセッサは、（例えば異なる時間かつ／または異なる文脈で実行する）ロジック要素の同じアレイまたはアレイ（複数）上で実行するプロセスとして実現される。
【００１１】
ここで、獲得されたデータはイメージデータには限定されない。例えば、獲得されたデータは、デジタルオーディオデータを含む。さらに、獲得されたデータは、データの任意の他のストリームを具備する。例えば、少なくとも１つの観察された現象に関連する情報を記録する一組の試験装置（例えば、スペクトラムアナライザ、地震計など）によって生成されるデータを含む。そのような現象は自然の状態（例えば、温度、湿度あるいは雲密度などの１つまたはそれ以上の気象状態）または人工的なもの（ワイヤレス通信のためのチャネルのフェージング現象など）に関する。要約すると、獲得されたデータは、記録が所望され、記憶素子１２０（例えば、記憶素子１２０の特性と一致する１つまたはそれ以上の電圧レベル及びタイミング値をもつ信号）における少なくとも一時的な記憶に適した特性をもつ任意のストリームのデジタルデータを具備する。
【００１２】
獲得されたデータがコントロールロジックブロック１１０によって受信される前に、（デジタル化、符号化及び／または圧縮などの）１つまたはそれ以上の処理操作を受けるようなアプリケーションにおいて、コントロールロジック１１０及びデータプロセッサあるいはデータプロセッサ（複数）は、（例えば異なる時間及び／または異なる文脈で実行しているロジック要素の同じアレイまたはアレイ（複数）上で実行するプロセスとして実現される。センサとプロセッサ（複数）間及び／または１つまたはそれ以上の処理ステージ間にはバッファが配置される。コントロールロジックブロック１１０は、獲得されたデータをセンサ、変換器、あるいはそれを提供するプロセッサから直接受信するのではなくバッファから受信することが望ましい。
【００１３】
コントロールロジックブロック１１０は獲得されたデータの記憶素子１２０への記憶を制御する。例えば、コントロールロジックブロック１１０は、獲得されたデータ信号の（データレート及び／またはバス幅などの）特性に適合させるために必要に応じて獲得されたデータをバッファリングまたは（例えばシリアルデータストリームからパラレルデータストリームに）再構成する。コントロールロジックブロック１１０は獲得されたデータをファイル、パケットあるいは記憶素子１２０の記憶に適しかつ／または次の取り出しに便利な他のタイプのデータ構造にフォーマットする。例えば、コントロールロジックブロック１１０は獲得されたデータを、ＭＳ−ＤＯＳ（マイクロソフト社、レッドモンド、ワシントン州）、ＥＰＯＣ（シンビアン、ロンドン、イギリス）、及び／またはリナックスなどのオペレーティングシステムによって読み取り可能なディレクトリ構造にファイルとして記憶させる。一方、コントロールロジックブロック１１０は、獲得されたデータを、インターネットプロトコル（ＩＰ）などの所定の通信プロトコルに従った送信に適した固定または可変のパケットとして記憶させる。他の例において、コントロールロジックブロック１１０は獲得されたデータにタイムスタンプあるいは他の情報を付加及び／または記憶に先立って獲得されたデータを暗号化または符号化あるいはラベル付けする。
【００１４】
記憶素子１２０は不揮発性のランダムアクセスメモリ（ＲＡＭ）デバイスである。例示的な実装において、記憶素子１２０はコンパクトフラッシュ、スマートメディア、あるいはメモリスティックなどの仕様に合致するフラッシュＲＡＭデバイスである。記憶素子１２０に対する他の不揮発性ＲＡＭオプションは、磁気抵抗の、磁性の、磁性トンネル接合のあるいは強誘電性のＲＡＭを含む。一方、記憶素子１２０は、小型のウインチェスタ（例えばハードディスク）ドライブである。記憶素子１２０はさらに、例えばダイナミックあるいはスタティックＲＡＭなどの半導体デバイスなどの揮発性ＲＡＭであってもよい。要約すると、記憶素子１２０は、ランダムアクセスを可能にし、任意のサイズ、速度、そして特定の実装に適用可能な電力消費制限に合致する任意の記憶素子である。
【００１５】
他の実施形態において、記憶素子１２０は、ＳＩＭ（サブスクライバアイデンティティモジュール）カードのＲＡＭ部あるいは付加的な記憶及び／または処理機能をもつ他の“スマートカード”である。この場合、コントロールロジックブロック１１０のすべてあるいはいくつかの重要度の低い部品はスマートカードに組み込まれる。そのような構成は携帯型デバイスにおけるスペースを節約及び／または複数の機能（例えばユーザ識別及び／または認証、電話サービス構成）に対するサポートを単一のカードインタフェースに組み合わせることによって製造コストを低減する。さらにそのようなインタフェースはソフトウェア及び／またはファームウェアアップグレードのために都合の良い機構を提供する。
【００１６】
獲得されたデータを以下に述べるようなセルラ電話リンクを介して送信する装置において、そのような構成は、データ転送のための１つまたはそれ以上の電話番号を（アクセスコードあるいはパスワードなどの関連するパラメータとともに）カード上に格納することを可能にするためにスマートカードの電話サービスサポート機能を活用できる。プログラム作業を簡単にするために、スマートカード上に記憶されている情報はファイルディレクトリ構造に従って構成される。
【００１７】
コントロールロジックブロック１１０によって提供される付加的な機能は、“係属中のデータ“（記憶素子１２０に記憶されているがまだ送信されていない獲得されたデータ）の保護である。例えば、コントロールロジックブロック１１０は、係属中のデータを含む記憶素子１２０の領域へのデータの書き込みを防止する。そのような保護機能は、セマフォあるいは記憶素子１２０の各部に関連するフラグなどの相互排除（すなわち“ミューテックス“）機構により実装される。他の例において、そのような機能は少なくとも部分的には記憶素子１２０内に実装される。
【００１８】
例示的な実装において、ミューテックスフラグは、獲得されたデータが記憶素子１２０の対応する部分に記憶されるときにセットされる（あるいは“ロックされる“）。データが逐次送信されるとき（または、データが送信のために取り出されるとき）、ミューテックスフラグはリセット（あるいは“オープンされる“あるいは“クリアされる”）。ミューテックスフラグがセットされているときにはデータは記憶素子１２０の一部に記憶されない。
【００１９】
図３は、本発明の一実施形態による方法の一部のフローチャートを使用する適切なミューテックス機構の動作を示す。タスクＰ１１０において、獲得されたデータのブロックが（例えばセンサまたは変換器あるいはプロセッサあるいはバッファから）受信される。（データのブロックの寸法は、記憶素子１２０のアーキテクチャあるいはフォーマット、中間記憶ステージの容量、圧縮アルゴリズムの１つあるいはそれ以上のパラメータあるいは他のデータ処理タスク及び／またはワイヤレスデータリンクを介して使用される送信プロトコルの構造などの要因に従って選択される。）タスクＰ１２０において、アドレスはブロックが記憶される記憶素子１２０内の位置に対して獲得される。このアドレスは、記憶素子１２０内の特定の位置（例えば初期位置、あるいは獲得されたデータが最も最近まで記憶されていた位置に続く位置）を示すポインタ、テーブル、あるいは同様の記憶管理構造にアクセスすることによって獲得される。タスクＰ１３０において、選択された記憶素子に対応するミューテックスフラグの状態がチェックされる。フラグがオープン（すなわち、その位置に転送されないデータが存在しない）ならば、獲得されたデータのブロックはタスクＰ１４０に記憶される。フラグがロックされているならば、記憶動作は中止（あるいはキャンセル）される。図３の例において、タスクＰ１３０は、ミューテックスフラグがロックされていない状態になるまで（タスクＰ１４０の中断）を反復する。タスクＰ１８０において、ミューテックスフラグがセットされ、それによって係属中のデータを保護する。
【００２０】
タスクＰ１４０あるいはＰ１８０は、ポインタあるいはタスクＰ１２０に関連するテーブルの更新を含む。さらに、タスクＰ１４０及びＰ１８０は、係属中のデータに対する適切な保護を提供するために図３の例から変更される。例えば、タスクＰ１４０は、（コントロールロジックブロック１１０及び／または記憶素子１２０によって認可された）許可によってのみ発生が制限される。そのような場合には、データが記憶される前にミューテックスフラグをセットしてミューテックスフラグを書き換える（ｏｖｅｒｒｉｄｅ）許可を与えることが望ましい。
【００２１】
記憶素子１２０に対する１つの適切な構造は、円形キューあるいは“リングバッファ”である。上記したミューテックス機構はそのような実装に含まれる。例示的な実施形態において、キューへの少なくとも２つのポインタが維持される。１）獲得されたデータを記憶するのに利用可能な次の記憶位置を示す“記憶ポインタ”と２）係属中のデータをもつ次の記憶位置を示す“送信ポインタ“である。
【００２２】
コントロールロジックブロック１１０は、記憶素子１２０へのデータの記憶及び記憶素子１２０からの取り出しを同時に行うことを可能にするために二重メモリバスに対する仲裁を行う。この方法において、送信器１３０による送信のためのデータは１つのメモリバスを用いて（コントロールロジックブロック１１０及び／または送信器１３０によって）取り出されるとともに、コントロールロジックブロック１１０は他のメモリバスを介して記憶素子１２０にデータを記憶する。他の実施形態において、記憶素子１２０は２つまたはそれ以上のポートをもち、これによって、コントロールロジックブロック１１０及び／または送信器１３０は１つのポートを介して記憶素子１２０から直接データを取り出すとともに、コントロールロジックブロック１１０は他のポートを介してデータを記憶する。そのような構造は、取り出しタスクと記憶タスクを互いに実質的に独立して進行することを可能にするために使用される。
【００２３】
送信器１３０は記憶素子１３０から情報を受信してそれをワイヤレスデータリンクを介して送信する。データリンクは私設及び専用データリンク、例えば衛星アップリンクまたはダウンリンクチャネルである。他の実装において、データリンクはセルラ電話網などの商用の通信網の一部である。さらなる実装において、データリンクはワイヤレスＬＡＮ内の無線リンクかあるいはブルーツースプロトコル（ｗｗｗ．ｂｌｕｅｔｏｏｔｈ．ｃｏｍで入手可能な仕様バージョン１．０）かあるいは他のプロトコルに合致する無線リンクあるいは赤外線リンクである。そのような実装の例示的なアプリケーションにおいて、獲得されたデータは近くのパーソナルコンピュータにデータリンクを介して送信される。
【００２４】
獲得されたデータを記憶素子１２０から取り出してそれをワイヤレスデータリンクを介して送信するタスクを開始するためにいくつかの事象の中から１つまたはそれ以上の事象が選択される。
【００２５】
一実装において、このタスクは、記憶素子１２０の使用レベルに応じて、例えば、記憶素子１２０に記憶されている係属中のデータの量（または係属中のデータを記憶するために現在使用可能な記憶素子１２０における記憶の量）が所定のしきい値、すなわち”ウォータマーク”に到達したときにトリガされる。このウォータマークはデータユニット（例えば１０メガバイト、４００ブロックなど）により定義されるかあるいは、記憶素子１２０の全容量の割合（例えば７５％）により定義される。一方、装置が所定の時間アイドル状態（データの獲得がなかった）であり、継続中のデータが現在記憶素子１２０に記憶されているときに、情報の取り出しと送信がトリガされる。一方では、情報の取り出しと送信は少なくとも部分的にはスケジュール（例えば、商用データリンクのオフピーク使用期間の間）に従って発生する。一方、情報の取り出し及び送信のタスクは、データリンクの現在の品質あるいは所定のしきい値に合致するかあるいはそれを越え、現在、係属中のデータが記憶素子１２０に記憶されているという決定に応答して開始される。
【００２６】
上記したタスクに加えて、コントロールロジックブロック１１０は、記憶素子１２０から獲得されたデータを取り出し、それをワイヤレスデータリンクを介した送信のために送信器１３０に送信するタスクを実行する。一方、コントロールロジックブロック１１０は、より制限された方法により（例えば送信器１３０が記憶素子１２０にアクセスするのを可能にするために二重メモリバスを仲裁することによって）このタスクに参加する。変形例として、送信機１３０は、（例えば上記したような二重ポート記憶システムにおいて）コントロールロジックブロック１１０からの直接の介在なしに記憶素子１２０から獲得されたデータを取り出すタスクを実行する。
【００２７】
図４は、本発明の実施形態に従った方法のフローチャートである。上記したように、獲得されたデータのブロックが取り出され、記憶位置のアドレスがそれぞれタスクＰ１１０及びＰ１２０において獲得される。タスクＰ１５０において、記憶素子１２０の使用レベルがチェックされる。使用レベルが高い（例えば、係属中のデータの量が所定のしきい値すなわちウォータマークに合致するかあるいはそれを超えている）と決定されたならば、タスクＰ１６０において、送信タスクが現在実行中かどうかについての決定がなされる。そのようなタスクが実行されていないならば、タスクＰ１７０において送信タスクが開始される。この動作に続いて、あるいは使用レベルが低いと決定された場合には、対応するミューテックスフラグの状態に従って、データのブロックがタスクＰ１３０及びＰ１４０において記憶され、ミューテックスフラグがタスクＰ１８０においてセットされる。
【００２８】
図５は、例えばタスクＰ１７０において開始された送信タスクのフローチャートを示している。タスクＰ２１０において、送信すべき係属中データを含む記憶位置のアドレスが獲得される。このアドレスは、記憶素子１２０内で特定の位置（初期位置、例えば係属中のデータが最も最近取り出された位置に続く位置）を示すポインタ、テーブル、あるいは同様の記憶管理構造にアクセスすることによって獲得される。タスクＰ２２０において、係属中のデータが選択された記憶位置から取り出され、当該データはタスクＰ２３０において送信される。ある種の実装においては、取り出されたデータは送信に先立ってラベル付けされ、時間が刻印され、及び／または暗号化され、あるいは符号化される。例えば、信憑性及び／または獲得の時間を検査するために、各イメージあるいはビデオフレームにデジタル署名が添付される。
【００２９】
タスクＰ２４０において、選択された記憶位置に対応するミューテックスフラグがクリアされる。例示的なアプリケーションにおいて、タスクＰ２４０はタスクＰ２３０における送信の成功が確認されるまで延期される。タスクＰ２３０あるいはＰ２４０はタスクＰ２１０においてアクセスされたポインタあるいはテーブルの更新を含む。
【００３０】
タスクＰ２５０において、記憶素子１２０の使用レベルがチェックされる。使用レベルが高い（例えば係属中データの量が所定のしきい値すなわちウォータマークに合致するかあるいはそれを超える）と決定されたならば、タスクＰ２００が反復される。タスクＰ１５０及びＰ２５０において異なるウォータマークを使用することによってヒステリシス係数を組み込むことが望ましい。例えば、タスクＰ２００の反復は、記憶素子１２０に係属中データがなくなるまで継続して実行される。
【００３１】
少なくとも部分的にはコントロールロジックブロック１１０によって受信された獲得されたデータのレート、送信器１３０によって使用されるワイヤレスデータリンクの速度、及び／またはコントロールロジックブロック１１０及び記憶素子１２０の速度に応じて、そのサイズが記憶素子１２０の容量を超えるデータの連続ストリームを獲得して送信するために装置１００の実装を使用することが可能である。
【００３２】
図６は、本発明の変形例に従った装置２００の実装を示している。上記した１つまたはそれ以上の従来のユーザインタフェースタスクに加えて、ユーザインタフェース１４０は、ユーザが情報の獲得及び／または送信を開始し、獲得及び／または処理パラメータを入力または変更し、将来の任意のときに実行するためにタスク（例えばイメージを獲得する）をスケジュール管理し、動作の異なるモードから選択し、及び／または１つまたはそれ以上のウォータマークあるいは記憶素子１２０に関連した他の使用レベルしきい値を入力あるいは変更することを可能にする。ユーザインタフェース１４０は、使用レベルしきい値が記憶素子１２０において到達したという決定、送信器１３０による送信動作、ワイヤレスデータリンクの状態などの事象についてユーザに通知する。上記したコントロールロジックブロック１１０の機能に加えて、コントロールロジックブロック１１２はユーザインタフェース１４０から受信した制御情報を配布及び／または適用する機能を含む。
【００３３】
スマートカードインタフェースを含む実装において、ユーザインタフェース１４０は、カードから情報を獲得する。リムーバブルスマートカードに対するサポートは複数ユーザの各々が装置２００を容易に個人化することを可能にする。例えば、スマートカードはユーザインタフェース１４０に対する好ましい構成を規定する情報を提供する。さらに、スマートカードはユーザの身元を識別あるいは認証する情報を提供する。そのような情報は、記憶素子１２０における記憶に先立って及び／または送信器１３０による送信に先立って獲得されたデータをラベル付け及び／または暗号化するのに使用される。（ＧＳＭ（移動体通信のためのグローバルシステム）ＴＳ１１．１１［ＳＩＭ−ＭＥインタフェースの仕様］、バージョン０３．１６．００、１９９４年７月、欧州遠隔通信標準協会、ソフィイア　アンチポリス、セデックス、フランス）の第６部［ＳＩＭの物理的特性］において規定されたＳＩＭカードインタフェースの一部などの）既存のスマートカードインタフェースの少なくとも一部に対するサポートは、使用の容易さ及び商品価値に寄与する。
【００３４】
図７は、二重メモリバスを含む本発明の実施形態に従った装置２００ａを示す。この例において、送信器１３０は記憶素子１２０の１つのエリアから係属中のデータを受信するとともに、コントロールロジックブロック１１２は他のエリアに獲得されたエリアを記憶する。コントロールロジックブロック１１２は、同じ記憶位置に同時に読み取りアクセスと書き込みアクセスが企てられるのを防止するためにメモリバスを仲裁する。係属中のデータの保護は（例えば記憶ポインタが送信ポインタにとって代わることによって）仲裁タスク内に実装される。
【００３５】
図８は、本発明の他の実施形態に従った装置３００の実装を示す。この装置において、センサ１５０は、上記したようなセンサ１５０及び／またはオーディオ信号を生成するためのマイクロホン及び／または１つまたはそれ以上の観察された現象を表す獲得されたデータ信号を生成するための他の形態の変換器とを具備する。信号処理装置１６０は、獲得されたデータ信号に関して、信号調整、圧縮、及び／または他の符号化機能を実行する。センサ１５０がアナログ信号を供給するならば、信号処理装置１６０はデジタル化回路及び／またはタスクを含む。コントロールロジックブロック１１２及び信号処理装置１６０は、（例えば異なる時間及び／または異なる文脈で実行される）ロジック要素の同じアレイまたはアレイ（複数）上で実行されるプロセスとして実現される。
【００３６】
一実装において、信号処理装置１６０は、ＧＩＦ（グラフィックスインタチェンジフォーマット、バージョン８７ａ及び８９ａ、コンピュサーブＩｎｃ．コロンバス、オハイオ州）、ＪＰＥＧ、ＰＮＧ（ポータブルネットワークグラフィックス仕様、バージョン１．０（ＲＦＣ２０８３として出版）及び１．２、ＰＮＧデベロップメントグループ、コピーライト１９９９グレン　ランダースピアソン）またはＡＶＩ（オーディオビデオインタリーブ）などの標準ビデオフォーマット、ＭＰＥＧフォーマット（ＭＰＥＧ−１、ＩＳＯ−１１１７２−２、ＭＰＥＧ−２、ＩＳＯ−１３８１８−２、ＭＰＥＧ−４、ＩＳＯ／ＩＥＣ−１４４９６）、あるいはＨ．２６１、Ｈ２６３またはＨ．３２４などのビデオカンファレンス標準、などの標準スチルイメージフォーマットを有するデジタル信号を出力する。他の実装において、信号処理装置１６０は、ＷＡＶ（パルス符号変調符号化の実装、マイクロソフト社、レッドモンド、ＷＡ）、ＭＰ３（ＭＰＥＧ−１レイヤー３、ＩＳＯ−１１１７２−３またはＭＰＥＧ−３レイヤー３）またはＭＰＥＧ−２オーディオ（ＩＳＯ−１３８１８−３）などの標準オーディオフォーマットにおける情報を出力する。さらなる実装において、（１つまたはそれ以上の別個の信号処理ユニットまたはブロックを含む）信号処理装置１６０はビデオ及びオーディオ情報を出力する。他の実装において、信号処理装置１６０によって出力された情報は、送信器１３０により送信するためのプロトコルによりフォーマットされる。図９は、上記したような二重メモリバスを含む本発明の実施形態に従った装置３００ａを示す。
【００３７】
図１０は、変換器１７０は、ワイヤレスデータリンクを介して外部記憶位置に情報を送信し、当該データリンクに関連する情報を受信する。そのような実装において、情報を受信及び送信するタスクは、データリンクの品質が、少なくとも所定のしきい値に等しいという（コントロールロジックブロック１１２または変換器１７０による）決定があったときに開始される。リンク状態または品質などの情報の表示、呼の設定状態、及び／または送信動作は、ユーザインタフェース１４０を介してユーザに表示され、ユーザはユーザインタフェース１４０を介して所定のしきい値を入力あるいは変更する。送受信器１７０がセルラ電話網などの商用ネットワークを介して送信する場合において、例えば、情報を取り出したり送信するタスクはコストが低減されるオフピーク時間の間に開始される。そのような実装において、ユーザインタフェース１４０はユーザが、例えば、ワイヤレスデータリンクを確立するための１つまたはそれ以上の電話番号を入力し、データリンクに対する最小受信可能データレートを選択することによって、送受信器１７０の動作を制御または変更することを可能にする。
【００３８】
図１１は、本発明の他の実施形態に従った装置４００の実装を示している。この装置において、モデム１７２は、記憶素子１２０からデータを受信して無線リンクを介した送信のためにそれを符号化する。例示的な実施形態において、モデム１７２は、カルコム社（サンジエゴ、カルフォルニア州）により製造されたＭＳＭシリーズの集積回路の１つなどのワイヤレスモデム集積回路である。モデム１７２により実行される動作は、１つまたはそれ以上のカバリングコード（例えばウォルシュコードあるいは疑似雑音コード）及び／または誤り検出あるいは訂正コードの適用を含む。中間周波数／無線周波数（ＩＦ／ＲＦ）サブシステム１７４は、アンテナ（図示せぬ）を介しての送信のためにモデム１７２から受信した信号を１つまたはそれ以上のＲＦキャリアに関して変調する。リバースリンクを介してモデム１７２はデータリンク品質に関連する情報を提供する。
【００３９】
図１２は、本発明の一実施形態に従った装置５００を示している。イメージセンサ１５２は上記したようなＣＣＤまたはＣＭＯＳセンサである。同様にして、イメージプロセッサ１６２は、上記したようなタスクを実行し、調整され、符号化され、及び／または圧縮されるデジタル信号を出力する。イメージプロセッサ１６２によって出力された信号は、離散的なデジタルスチルイメージ及び／または所定のフレームレート（例えば秒あたり３０フレーム）で獲得されたデジタルビデオ系列に対応する。コントロールロジックブロック１１２及びイメージプロセッサ１６２は、（例えば異なる時間及び／または異なる文脈で実行される）ロジック要素の同じアレイまたはアレイ（複数）上で実行されるプロセスとして実現される。
【００４０】
装置５００の一実装において、ユーザはユーザインタフェース１４０を介してデジタルビデオ系列の獲得を開始する。ユーザのアクション及び／または獲得動作の開始に応答して、装置５００はモデム１７２及びＩＦ／ＲＦサブシステム１７４を介してワイヤレスデータリンクを確立する。データ送信はワイヤレスデータリンクが利用可能になったときに開始される。そのような実装において、データリンクは、獲得動作が（例えばユーザによって）中止されるまで確立されたままであり、データリンクの初期確立の間に獲得されたデータをバッファリングするのに十分な容量を提供する
装置５００のさらなる実装において、データリンクは、例えばユーザがすぐに他の獲得セッションを開始する場合、獲得が中止された後の所定の時間の間、確立された状態を維持する。例示的なアプリケーションにおいて、データリンクはＩＳ−２０００標準（遠隔通信工業協会、アーリントン、バージニア州）であり、このヒステリシス特性は、（中間アクセス制御標準ＩＳ２０００−３において記述されているような）制御保持状態を使用して実行される。ここでは、データ受容チャネルが切断された後、呼制御チャネルはアクティブ状態を維持する。ヒステリシスの度合い（例えば、データリンクがデータを運ぶことなしに確立された状態を維持する時間の長さ）は、ユーザインタフェース１４０を介して変更される。
【００４１】
図１３は、本発明のさらなる実施形態に従った装置６００のアプリケーションを示す。上記した事象に応答して、コントロールロジックブロック１１４は記憶素子１２０からデータを取り出し、ワイヤレスデータリンクを確立するために送信装置６３０に連絡し、送信のための送信装置６３０にデータを転送する。例示的なアプリケーションにおいて、送信装置６３０は、ＲＳ−２３２−Ｃ（電子工業協会、アーリントン、バージニア州）またはＰＣＭＣＩＡ（リリース１．０、２．０、２．０１、あるいは２．１あるいはＰＣカード標準、パーソナルコンピュータメモリカード国際協会、サンノゼ、カルフォルニア州）などの標準に合致した電気的あるいは光データリンクを介して装置６００に結合されている。他の例示的アプリケーションにおいて、送信装置６３０は上記したような標準あるいは例えばセルラ電話の製造会社が工業所有権をもつ標準に合致する電気的あるいは光データリンクを介して装置６００に結合される。
【００４２】
図１４は、本発明のさらなる実施形態に従った装置６１０のアプリケーションを示している。スタンドアロン動作が可能なデジタルカメラと組み合わせて、装置６１０は、コントロールロジックブロック１１６とデジタルカメラのデータポート間の電気的あるいは光データリンクを介してここで議論したようなデータ転送機能を提供する。特に、コントロールロジックブロック１１６は送信トリガリング事象の通知を受信してデジタルカメラの記憶素子からデータを取り出す。一方、コントロールロジックブロック１１６はデジタルカメラのプロセッサに記憶素子からデータを取り出して転送することを行わせる。関連した実装において、装置６１０は、デジタルカメラのユーザインタフェースの機能の一部あるいはすべてにとって代わる。例えば、コントロールロジックブロック１１６はデジタルカメラによるデータ獲得を開始する。デジタルカメラの記憶素子のアーキテクチャによって、獲得されたイメージは、ここに記載された円形キューにより実現されるファーストインファーストアウト（ＦＩＦＯ）手順ではなく、ラーストインラーストアウト（ＬＩＬＯ）手順により送信される。図１５は、スタンドアロンデジタルカメラ及び送信装置６３０の両方との（例えば上記したような）インタフェースをもつ本発明のさらなる実施形態に従った装置６２０のアプリケーションを示している。
【００４３】
図１６は、本発明の一実施形態に従ったシステムを示している。このシステムにおいて、装置１００は、ワイヤレスデータリンクを介してハードディスクドライブあるいは他の高容量記憶装置を含む記憶装置８００にデータを送信する。一実装において、図１７に示すように、装置５００は情報をセルラ電話網７００に送信する。セルラ電話網７００は受信したデータを記憶装置８１０に転送する。例示的な実施形態において、記憶装置８１０は基地局コントローラ（ＢＳＣ）あるいは移動体サービスコントローラ（ＭＳＣ）レベルでネットワーク７００に接続する。記憶装置８１０はいくつかのあるいは多くの異なる装置から受信したデータを管理しかつ記憶するために１つまたはそれ以上のファイルサーバを含む。
【００４４】
図１８は、本発明のさらなる実施形態に従ったシステムの実装を示している。このシステムにおいて、パーソナルコンピュータ９００を使用するユーザは記憶装置８１０にアクセスして公衆交換電話網（ＰＳＴＮ）７５０を介して記憶されたデータを受信する。他の実装において、データは、ケーブルネットワーク、ＩＳＤＮ（インテグレーテッドデジタルサービスネットワーク）接続、ＡＤＳＬ（非同期ＤＳＬ）などのＤＳＬ（デジタルサービスループ）接続、ＳＤＳＬ（同期ＤＳＬ）あるいはＩＤＳＬ（ＩＳＤＮ　ＤＳＬ）接続、あるいは他のローカルまたはワイドエリアネットワークシステムを介して記憶装置８１０とＰＣ９００間で送信される。一方、記憶装置８１０及びパーソナルコンピュータ９００間の通信は（例えば、パーソナルコンピュータ９００上でソフトウェアアプリケーションとして動作するブラウザにより）インターネットを介して行われる。さらなる実装において、記憶装置８１０に記憶されたデータは、当該データをレコーダブルまたはリライタブルコンパクトディスク（それぞれＣＤＲまたはＣＤ−ＲＷディスク）あるいはデジタルバーサタイルディスク（ＤＶＤ）などのメディアに記憶し、それをユーザに配送することによってユーザに送信される。
【００４５】
図１９は、図１８に示すシステムの動作を実行するためのプロトコル方法の一例を示している。ＦＴＰリンクは装置５００内のモデム１７２上で動作するスタックの一端と、記憶装置８１０内の内部ネットワーク機能（ＩＷＦ）上で動作するスタックの他の一端により確立される。装置５００及びセルラ電話網７００間の信頼性あるプロトコルリンクはＦＴＰリンクをサポートする。１つの適切な信頼性あるプロトコルは、ＩＳ−７０７．２標準（名称：ワイドバンドスペクトラム拡散システムのためのデータサービスオプション：　無線リンクプロトコル、出版日：１９９８年２月）と、ＩＳ−７０７．Ａ．２標準（名称：スペクトラム拡散システムのためのデータサービスオプション：無線リンクプロトコル、出版日：１９９９年３月）である。他の実装において、転送プロトコルリンクは例えば失われたパケットの再送を許可することによって信頼性を提供する異なるデータリンクプロトコルによって運ばれる。
【００４６】
獲得されたデータが時間の経過に従った事象の連続する系列を表すアプリケーション（例えばオーディオまたはビデオアプリケーション）においては、記憶素子の飽和を避けるためにパケットの散発的な損失を許すことが望ましい。より圧縮度の低いフォーマットはパケット落ちに対して強固であるので、データリンクの品質あるいは信頼性に従って信号圧縮の圧縮率（ｌｏｓｓｉｎｅｓｓ）を変更することが望ましい。
【００４７】
例示的な実装において、データリンクはＩＳ−９５標準の１つまたはＣＤＭＡ−２０００標準（遠隔通信工業協会、アーリントン、バージニア州）に従った無線チャネルによってサポートされる。一方、無線リンクは図１９に示されるようにＨＤＲ（高データレート）によってサポートされる。データリンクがいくつかのサブチャネルをサポートするセルラ電話チャネルである場合においては、装置５００を含むデバイスが同じチャネルの異なるサブチャネルを介して複数の同時サービス（例えば音声通信機能）を提供することが可能である。
【００４８】
ＦＴＰリンクはさらにＴ１ラインなどの媒体を介してセルラ電話網７００と記憶装置８１０間でサポートされる。ＦＴＰスタックをサポートしている物理層はポイントツーポイントプロトコル（ＰＰＰ）、イーサネット（ＣＳＭＡ／ＣＤ）、あるいは他の物理層プロトコルである。記憶装置８１０とパーソナルコンピュータ９００との間では、ＩＰ（インターネットプロトコル）スタック（あるいは図１９に示すようなＦＴＰまたはＳＭＴＰ（シンプルメールトランスファープロトコル）スタック）が上記したようなメディア（ＰＳＴＮ、ＩＳＤＮ、など）の上で動作する。パーソナルコンピュータ９００が（例えばケーブルモデムあるいはＤＳＬモデムによりサポートされるような）半永久的接続を介して記憶装置８１０に直接的にあるいは間接的に接続されるならば、装置５００はパーソナルコンピュータ９００にまで延在するＦＴＰリンクを確立することが可能である。
【００４９】
関連する実施形態において、電気的あるいは光データリンクがワイヤレスデータリンクに取って代わられる場合がある。そのような実装において、コントロールロジックブロックはワイヤレスモデムを介して標準的な電話ジャックに接続される。受理できる品質の無線リンクが確立できない場合（例えばユーザが建物内部の部屋のような囲まれたあるいはシールドされた場所にいるとき）にそのような機能があることが望ましい。
【００５０】
上記した実施形態の記載は当業者が本発明を製造あるいは使用することを可能にするために提供された。これらの実施形態に対する種々の変更が可能であり、ここに提示された一般的な原理は、他の実施形態にも同様に適用される。例えば、本発明は、ハードウェア回路として、特定用途向け集積回路内に組み込まれた回路構成として、不揮発性記憶装置にロードされたファームウェアプログラムとして、機械読み取り可能なコードとしてデータ記憶媒体からロードされあるいはデータ記録媒体内にロードされるソフトウェアプログラムとして、部分的あるいは全体が実装される。そのようなコードはマイクロプロセッサあるいは他のデジタル信号処理ユニットなどのロジック要素のアレイによって実行可能な指令である。すなわち、本発明は、上記した実施形態に限定されるものではなく、任意の形態で開示される原理及び新規な特徴に合致した最も広い権利範囲を付与されるべきである。
【図面の簡単な説明】
【図１】
デジタルカメラのブロック図である。
【図２】
本発明の一実施形態による装置１００のブロック図である。
【図３】
本発明の一実施形態による方法の一部のフローチャートである。
【図４】
本発明の一実施形態による方法のフローチャートである。
【図５】
送信タスクのフローチャートである。
【図６】
本発明の一実施形態による装置２００のブロック図である。
【図７】
本発明の一実施形態による装置２００ａのブロック図である。
【図８】
本発明の一実施形態による装置３００のブロック図である。
【図９】
本発明の一実施形態による装置３００ａのブロック図である。
【図１０】
本発明の一実施形態による装置３５０のブロック図である。
【図１１】
本発明の一実施形態による装置４００のブロック図である。
【図１２】
本発明の一実施形態による装置５００のブロック図である。
【図１３】
本発明の一実施形態による装置６００の１つの可能なアプリケーションのブロック図である。
【図１４】
本発明の一実施形態による装置６１０の１つの可能なアプリケーションのブロック図である。
【図１５】
本発明の一実施形態による装置６２０の１つの可能なアプリケーションのブロック図である。
【図１６】
本発明の一実施形態によるシステムのブロック図である。
【図１７】
本発明の一実施形態によるシステムのブロック図である。
【図１８】
本発明の一実施形態によるシステムのブロック図である。
【図１９】
図１８によるシステムに対する一組のプロトコルレイヤの一例のブロック図である。
【符号の説明】
１００…装置、１１０…コントロールロジック、１２０…記憶素子、１３０…送信器。
【図１】
2004509524.tif 000003
【図２】
2004509524.tif 000004
【図３】
2004509524.tif 000005
【図４】
2004509524.tif 000006
【図５】
2004509524.tif 000007
【図６】
2004509524.tif 000008
【図７】
2004509524.tif 000009
【図８】
2004509524.tif 000010
【図９】
2004509524.tif 000011
【図１０】
2004509524.tif 000012
【図１１】
2004509524.tif 000013
【図１２】
2004509524.tif 000014
【図１３】
2004509524.tif 000015
【図１４】
2004509524.tif 000016
【図１５】
2004509524.tif 000017
【図１６】
2004509524.tif 000018
【図１７】
2004509524.tif 000019
【図１８】
2004509524.tif 000020
【図１９】
2004509524.tif 000021
【国際公開パンフレット】
2004509524.tif 000022
2004509524.tif 000023
2004509524.tif 000024
2004509524.tif 000025
2004509524.tif 000026
2004509524.tif 000027
2004509524.tif 000028
2004509524.tif 000029
2004509524.tif 000030
2004509524.tif 000031
2004509524.tif 000032
2004509524.tif 000033
2004509524.tif 000034
2004509524.tif 000035
2004509524.tif 000036
2004509524.tif 000037
2004509524.tif 000038
2004509524.tif 000039
2004509524.tif 000040
2004509524.tif 000041
2004509524.tif 000042
2004509524.tif 000043
2004509524.tif 000044
2004509524.tif 000045
2004509524.tif 000046
2004509524.tif 000047
2004509524.tif 000048
2004509524.tif 000049
2004509524.tif 000050
2004509524.tif 000051
2004509524.tif 000052
2004509524.tif 000053
2004509524.tif 000054
2004509524.tif 000055
2004509524.tif 000056
2004509524.tif 000057
2004509524.tif 000058
2004509524.tif 000059
2004509524.tif 000060
2004509524.tif 000061
2004509524.tif 000062
2004509524.tif 000063
2004509524.tif 000064
2004509524.tif 000065
2004509524.tif 000066
2004509524.tif 000067
【国際公開パンフレット（コレクトバージョン）】
2004509524.tif 000068
2004509524.tif 000069
【国際調査報告】
2004509524.tif 000070
2004509524.tif 000071
2004509524.tif 000072